(57)【要約】【課題】分解作業性や組付作業性を向上し、手入れが簡単なジューサーを提供する。【解決手段】駆動手段を備えた本体１と、本体１に着脱可能に装着される区画容器本体８、および、該区画容器本体８の内部に着脱可能に配置される仕切壁１６を有する区画容器５と、仕切壁１６内に配置されて投入された食材をジュースとカスとに分離する調製部材２３と、区画容器５を閉塞する蓋体２８と、注出されるジュースを受けるジュース容器３８とを備え、区画容器本体８の外壁９に、２以上のロック凸部１２Ａ〜１２Ｃを設けるとともに、仕切壁１６に各ロック凸部１２Ａ〜１２Ｃに係合するロック凹部２０をそれぞれ設け、仕切壁１６を区画容器本体８内に装着した状態で、これら仕切壁１６と区画容器本体８とを相対的に回転させることによりロック凸部１２Ａ〜１２Ｃとロック凹部２０とをロックさせる。【選択図】  図２
2004337285.tif 000002
【特許請求の範囲】
【請求項１】
駆動手段を備えた本体と、
前記本体に着脱可能に装着される有底筒状部材からなる区画容器本体、および、該区画容器本体の内部に着脱可能に配置され該区画容器本体内を内側のジュース案内部と外側のカス受部とに区画するフランジ部を備えた筒状部材からなる仕切壁を有する区画容器と、
前記区画容器の仕切壁内に配置されるとともに、前記駆動手段の出力軸に着脱可能に装着され、該駆動手段による回転により投入された食材をジュースとカスとに分離する調製部材と、
前記区画容器を閉塞する蓋体と、
前記区画容器のジュース案内部から注出されるジュースを受けるジュース容器とを備え、
前記区画容器本体の外壁に、内向きに突出する２以上のロック凸部を設けるとともに、前記仕切壁に前記各ロック凸部に係合するロック凹部をそれぞれ設け、仕切壁を区画容器本体内に装着した状態で、これら仕切壁と区画容器本体とを相対的に回転させることにより前記ロック凸部とロック凹部とをロックさせるようにしたことを特徴とするジューサー。
【請求項２】
前記ロック凸部の少なくとも１つを、前記区画容器本体の外壁の下部から全高の略半分の高さまで延ばし、前記仕切壁の装着時のガイド機能を具備させたことを特徴とする請求項１に記載のジューサー。
【請求項３】
前記ロック凸部の上端に先細とする斜部を設けた設けたことを特徴とする請求項２に記載のジューサー。
【請求項４】
前記ロック凸部の少なくとも１つを前記区画容器本体の外壁における上端まで延ばすとともに、前記蓋体に前記ロック凸部の上端に嵌合する凹部を設けたことを特徴とする請求項１乃至請求項３のいずれか１項に記載のジューサー。
【発明の詳細な説明】
【０００１】
【発明の属する技術分野】
本発明は、果物や野菜などの食材をジュースとカスとに分離するジューサーに関するものである。
【０００２】
【従来の技術】
従来のジューサーは、駆動手段を備えた本体と、該本体に着脱可能に装着される区画容器と、該区画容器内に配置される調製部材と、前記区画容器を閉塞する蓋体と、前記区画容器から注出されるジュースを受けるジュース容器とを備えている。
【０００３】
前記区画容器は、その内部に環状の仕切壁が設けられ、仕切壁内のジュース案内部と仕切壁外のカス受部とに区画されている。また、前記調製部材は、前記区画容器における仕切壁の内部に配設されるもので、その底面に果物や野菜などの食材を摺り下ろすカッターが設けられるとともに、該カッターの周囲から上向きに広がるように逆円錐台形筒状に突出するフィルターが設けられている。
【０００４】
このように構成されたジューサーは、区画容器における上部の食材投入通路から前記調製部材内に食材が押し込まれると、まず、駆動手段による回転で食材をカッターで摺り下ろす。これにより、この摺り下ろされた食材は、フィルターにおいて、ジュースとカスとに分離され、ジュースはフィルターに設けた多数の孔を通ってジュース案内部に流入し、カスはフィルターの上端からカス受部に飛散される。また、前記ジュース案内部に流入したジュースは、ジュース容器へと案内される。
【０００５】
なお、本発明のジューサーに関連する先行技術文献情報としては次のものがある。
【０００６】
【特許文献１】
特許２６４３１０２号公報
【特許文献２】
特開平７−３１３３３６号公報
【０００７】
【発明が解決しようとする課題】
しかしながら、これらのジューサーでは、洗浄時にカス受部やジュース案内部を水洗いする必要があるが、その分解作業や組付作業が困難であるという問題がある。
【０００８】
そこで、本発明では、分解作業性や組付作業性を向上し、手入れが簡単なジューサーを提供することを課題とするものである。
【０００９】
【課題を解決するための手段】
前記課題を解決するため、本発明のジューサーは、駆動手段を備えた本体と、前記本体に着脱可能に装着される有底筒状部材からなる区画容器本体、および、該区画容器本体の内部に着脱可能に配置され該区画容器本体内を内側のジュース案内部と外側のカス受部とに区画するフランジ部を備えた筒状部材からなる仕切壁を有する区画容器と、前記区画容器の仕切壁内に配置されるとともに、前記駆動手段の出力軸に着脱可能に装着され、該駆動手段による回転により投入された食材をジュースとカスとに分離する調製部材と、前記区画容器を閉塞する蓋体と、前記区画容器のジュース案内部から注出されるジュースを受けるジュース容器とを備え、前記区画容器本体の外壁に、内向きに突出する２以上のロック凸部を設けるとともに、前記仕切壁に前記各ロック凸部に係合するロック凹部をそれぞれ設け、仕切壁を区画容器本体内に装着した状態で、これら仕切壁と区画容器本体とを相対的に回転させることにより前記ロック凸部とロック凹部とをロックさせる構成としている。
【００１０】
このジューサーによれば、仕切壁と区画容器本体とを相対的に回転させることにより簡単に分解および組み付けを行うことができる。そのため、特に汚れが生じるこれらの構成部品を洗浄して手入れをする作業性を向上することができる。
【００１１】
前記ジューサーでは、前記ロック凸部の少なくとも１つを、前記区画容器本体の外壁の下部から全高の略半分の高さまで延ばし、前記仕切壁の装着時のガイド機能を具備させることが好ましい。このようにすれば、仕切壁を区画容器本体に組み付ける際の作業性をより向上することができる。
【００１２】
この場合、前記ロック凸部の上端に先細とする斜部を設けることが好ましい。このようにすれば、前記斜部のガイド機能により更に組付作業性を向上できる。
【００１３】
また、前記ロック凸部の少なくとも１つを前記区画容器本体の外壁における上端まで延ばすとともに、前記蓋体に前記ロック凸部の上端に嵌合する凹部を設けることが好ましい。このようにすれば、蓋体２８の装着作業性をも向上することができる。
【００１４】
【発明の実施の形態】
以下、本発明の実施の形態を図面に従って説明する。
図１から図５は、本発明の実施形態に係るジューサーを示す。このジューサーは、図１に示すように、大略、本体１と、区画容器５と、調製部材２３と、蓋体２８と、ジュース容器３８と、食材押込部材４１とからなる。
【００１５】
前記本体１は、その外装体の内部に駆動手段としてモータ２を配設したものである。このモータ２は、その出力軸２ａが本体１の上端から突出され、その突出部に後述する調製部材２３を着脱可能に装着するための装着部材３が取り付けられている。また、本体１の正面下部には、ジュース容器３８の受台部４が設けられている。
【００１６】
前記区画容器５は、前記本体１に着脱可能に装着され、その内部を仕切壁１６によって内側のジュース案内部６と外側のカス受部７とに区画したものである。具体的には、図２から図４に示すように、区画容器５は、断面略Ｊ字形状の筒状部材からなる区画容器本体８と、該区画容器本体８の内部に着脱可能に装着される断面略Ｌ字形状の筒状部材からなる別体の仕切壁１６とからなる。
【００１７】
前記区画容器本体８は、円筒状をなす外壁９の下端に、下向きに傾斜する底壁１０を一体に設けたものである。前記外壁９の下部には、内向きに突出し、その上面が水平面を構成する段部１１が設けられている。また、外壁９には、仕切壁１６を着脱可能に組み付けるための３つのロック凸部１２Ａ，１２Ｂ，１２Ｃが１２０度の等間隔で内向きに突設されている。前記底壁１０は、その中央に本体１から突出したモータ２の装着部材３を挿通する断面凸形状の筒部１３を設けたものである。この底壁１０において、最下端に位置する正面側端部には、注出孔１４が設けられるとともに、その周囲から下向きに突出する注出ノズル部１５が設けられている。なお、前記筒部１３は、図４に示すように、分離したジュースが溜まる正面側が内向きに窪む形状とされている。
【００１８】
前記ロック凸部１２Ａ〜１２Ｃのうち、正面側に位置するロック凸部１２Ａ，１２Ｃは、仕切壁１６を装着する際に定位置にガイドするための機能を兼用するもので、下部である前記段部１１から所定間隔をもった上部から、前記外壁９の全高の略半分の高さまで延びるように設けられている。このロック凸部１２Ａ，１２Ｃの上端には、幅方向の中央に向けて傾斜させて先細とするために斜部１２ａが形成されている。また、背面側に位置するロック凸部１２Ｂは、後述する蓋体２８を構成する内蓋２９を位置決めする機能を兼用するもので、前記段部１１から所定間隔をもった上部から外壁９の上端まで延びるように矩形状に設けられている。
【００１９】
前記仕切壁１６は、区画容器５の内壁を構成する円筒部１７の下端に、外向きに突出するフランジ部１８を一体に設けた断面Ｌ字形状のものである。前記円筒部１７の上端には、内向きに突出する環状リブ１９が設けられている。前記フランジ部１８の外周縁には、前記ロック凸部１２Ａ〜１２Ｃに外嵌してガイドされるとともに、相対的に回転させることにより係合するロック凹部２０が設けられている。このロック凹部２０において、時計周りの方向の縁には、上向きに傾斜する斜面を備えた係止段部２１ａが設けられるとともに、反時計回りの方向の縁には、上向きに突出するストッパ２１ｂが設けられている。また、フランジ部１８の下面には、前記段部１１上に載置して所定の隙間を形成するための突部２２が設けられている。
【００２０】
前記構成の区画容器５は、区画容器本体８に仕切壁１６を組み付けた状態では、仕切壁１６の円筒部１７の内側と区画容器本体８における段部１１の下側の領域からなる前記ジュース案内部６と、仕切壁１６の円筒部１７およびフランジ部１８の外側と区画容器本体８の外壁９で囲まれた領域からなる前記カス受部７が形成される。そして、本実施形態では、前記仕切壁１６に形成したロック凹部２０により、カス受部７とジュース案内部６とが連通する構成としている。
【００２１】
前記調製部材２３は、前記区画容器５における仕切壁１６内に配置し、前記モータ２の出力軸２ａに装着部材３を介して着脱可能に装着されるものである。この調製部材２３は、図１および図２に示すように、装着部材３に装着するための装着用台座部２４と、該装着用台座部２４の上面に配設したカッター２５と、前記装着用台座部２４の周囲から逆円錐台形筒状に突出するフィルター２６と、該フィルター２６の上端縁に装着した安全カバー２７とからなる。前記カッター２５は金属製であり、所定間隔をもって放射状に突出する刃部２５ａを備えている。前記フィルター２６は金属製であり、所定間隔をもって穿設した多数の通孔２６ａを備えている。
【００２２】
前記蓋体２８は、図２および図５に示すように、透明な樹脂からなる内蓋２９と、不透明な樹脂からなるカバー３３とからなる。
【００２３】
前記内蓋２９は、前記区画容器５の上端開口を閉塞する上向きに膨出した皿形状のもので、その外周縁には前記ロック凸部１２Ｂの上端に嵌合する位置決め用の凹部２９ａが設けられている。また、この内蓋２９の正面側には、上向きに突出する平面視円弧状の窓部３０が形成されている。さらに、この内蓋２９には、その略中央に前記調製部材２３の内部から外部にかけて延びる筒状の食材投入通路３１が形成されている。この食材投入通路３１は、上方に突出する部分３１ａが平面視円形状をなし、下方に突出する部分３１ｂが円の一部（背部）を内向きに円弧状に窪ませた形状をなしている。また、この食材投入通路３１の背面側上端には、内向きに窪む位置決め凹部３２が設けられている。この位置決め凹部３２は、背面視で略逆三角形状をなす。
【００２４】
前記カバー３３は、前記区画容器５の外側から前記内蓋２９の略全周囲にかけて覆う略凸形状をなす筒状のもので、その前後方向の中央には外向きに突出する前記本体１への係止部３４が設けられている。このカバー３３には、前記内蓋２９の窓部３０に対応する開口部３５が設けられ、この開口部３５から前記窓部３０を介して内部を透視できるように構成されている。また、カバー３３には、前記食材投入通路３１における外部に露出した上側部分３１ａを覆う円筒形状の被覆部３６が設けられている。この被覆部３６は、その上端が前記食材投入通路３１の上側部分３１ａの上端より同一高さ以下に位置するように形成されている。言い換えれば、前記食材投入通路３１の上側部分３１ａの上端は、被覆部３６の上端と同一高さ以上に位置するように形成されている。また、前記被覆部３６には、前記位置決め凹部３２に嵌る背面視で逆三角形状の位置決め凸部３７が設けられている。
【００２５】
前記ジュース容器３８は、図１に示すように、上端開口を閉塞する蓋３９を備え、前記本体１の受台部４に着脱可能に装着するものである。前記蓋３９には、本体１に装着した区画容器５における注出ノズル部１５に対応する流入口４０が設けられている。
【００２６】
前記食材押込部材４１は、前記食材投入通路３１における下側部分３１ｂと同一形状をなし、その上部に前記被覆部３６を覆う大きさの操作部４２を設けたものである。
【００２７】
前記構成のジューサーを使用するために各構成部品を組み付ける場合には、まず、本体１に対して区画容器本体８を装着し、その区画容器本体８に対して仕切壁１６を装着する。この際には、前記ロック凸部１２Ａ〜１２Ｃをロック凹部２０に挿通させて区画容器本体８内に仕切壁１６をガイドさせながら装着し、該仕切壁１６の突部２２が区画容器本体８の段部１１上に載置された状態で、これら区画容器本体８と仕切壁１６とを相対的に回転させる。これにより、前記ロック凸部１２Ａ〜１２Ｃの下端面と段部１１との間にロック凹部２０の係止段部２１ａが進入してロックされる。その結果、これらの組付状態を確実に保持することができる。
【００２８】
ついで、前記仕切壁１６内に調製部材２３を配置した後、区画容器本体８に対して内蓋２９を装着する。この際には、区画容器本体８に形成したロック凸部１２Ｂに対して内蓋２９の凹部２９ａを位置決めすることにより、簡単かつ確実に正規の装着位置に内蓋２９を装着することができる。
【００２９】
その後、内蓋２９の上方から覆い被せるようにしてカバー３３を装着し、その係止部３４を本体１の係止受部（図示せず）に係止する。この際には、内蓋２９に形成した位置決め凹部３２に対してカバー３３の位置決め凸部３７を位置決めすることにより、カバー３３の方向性を正規の装着方向にガイドしながら簡単かつ確実に装着することができる。この組立状態では、不透明なカバー３３の開口部３５には、内蓋２９の窓部３０が嵌り込んでおり、この透明な窓部３０を介して内部を透視できる。
【００３０】
このようにして各構成部品を組み付けると、ユーザが電源コードを商用電源に接続し、本体１の表面に設けた図示しない操作パネルのスイッチを操作することにより、前記調製部材２３が区画容器５の内部で回転する。この際、この調製部材２３の回転方向と、区画容器本体８に対する仕切壁１６の組付（回転）方向は同一であるため、これらの組付状態に緩みが生じることはない。
【００３１】
この状態で、ユーザが食材投入通路３１の入口から材料を投入し、食材押込部材４１により下向きに押し込むことにより、その食材を調製部材２３によってジュースとカスとに分離することができる。具体的には、材料は、まず、調製部材２３のカッター２５により摺り下ろされる。その後、カッター２５と食材投入通路３１の下端との隙間から遠心力によって外側に飛散され、フィルター２６に衝突する。これにより、摺り下ろされた実は、ジュースが通孔２６ａを通してジュース案内部６に飛散し、ジュースが飛ばされたカスがフィルター２６の傾斜に沿って上昇してカス受部７に飛散される。
【００３２】
この際、カス受部７に収容されたカスの中には、完全にジュースが絞り出されてなく、未だジュースを含んだものが存在する。そして、そのジュースは、自重によってカス受部７の底に滴下する。その後、そのジュースは、カス受部７の底（フランジ部１８）に設けた連通部を構成するロック凹部２０からジュース案内部６へと流入する。また、調製部材２３の回転による風圧で仕切壁１６に付着したジュースが上昇しても前記環状リブ１９により抑制して、カス受部７へ飛散されることを防止できる。そのため、ジュースの収集効率を大幅に向上することができる。
【００３３】
一方、使用後に各構成部品のうち、特に汚れが生じる区画容器５および内蓋２９を洗浄する場合には、前記とは逆の手順でカバー３３、内蓋２９および調製部材２３を取り外して分解する。
【００３４】
ついで、ロック凹部２０の縁のストッパ２１ｂがロック凸部１２Ａ〜１２Ｃに当接するまで、区画容器本体８に対して仕切壁１６を反時計回りに回転させる。これにより、ロック凸部１２Ａ〜１２Ｃとロック凹部２０とのロック状態が解除される。その結果、仕切壁１６を上向きに持ち上げることにより、仕切壁１６を分解することができる。その後、本体１から区画容器本体８を取り外す。
【００３５】
このように、本実施形態のジューサーでは、仕切壁１６と区画容器本体８とを相対的に回転させることにより、特に汚れが発生するこれら区画容器本体８と仕切壁１６とを簡単に分解できるとともに、組み付けることができる。しかも、仕切壁１６を組み付ける際には、各ロック凸部１２Ａ〜１２Ｃとロック凹部２０とで正規の装着位置に位置決めできるとともに、ガイドさせることができるため、組付作業性をより向上することができる。しかも、ロック凸部１２Ａ，１２Ｃには、その上端に斜部１２ａが設けられているため、この斜部１２ａのガイド機能により確実に仕切壁１６の中心を区画容器本体８の中心に一致させることができ、更に組付作業性を向上することができる。
【００３６】
なお、本発明のジューサーは、前記実施形態の構成に限定されるものではなく、種々の変更が可能である。
【００３７】
例えば、前記実施形態では、ガイド機能を兼用した２つのロック凸部１２Ａ，１２Ｃと、位置決め機能を兼用させた１つのロック凸部１２Ｂを設けたが、その数は希望に応じて変更が可能である。
【００３８】
また、段部１１とロック凸部１２Ａ〜１２Ｃの下端面との間の隙間を、仕切壁１６のフランジ部１８と略同一に構成すれば、前記係止段部２１ａは必ずしも形成する必要はない。
【００３９】
【発明の効果】
以上の説明から明らかなように、本発明のジューサーでは、区画容器本体の外壁に、内向きに突出する２以上のロック凸部を設けるとともに、前記仕切壁に前記各ロック凸部に係合するロック凹部をそれぞれ設けているため、仕切壁と区画容器本体とを相対的に回転させることにより簡単に分解および組み付けを行うことができる。そのため、特に汚れが生じるこれらの構成部品を洗浄して手入れをする作業性を向上することができる。
【図面の簡単な説明】
【図１】本発明の実施形態に係るジューサーを示す断面図である。
【図２】本体に装着する各構成部品を示す分解斜視図である。
【図３】区画容器を構成する区画容器本体と仕切壁とを分離した状態を示す断面図である。
【図４】区画容器を示す平面図である。
【図５】蓋体を構成する内蓋とカバーとを分離した状態を示す断面図である。
【符号の説明】
１…本体、２…モータ（駆動手段）、２ａ…出力軸、５…区画容器、６…ジュース案内部、７…カス受部、８…区画容器本体、９…外壁、１０…底壁、１２Ａ〜１２Ｃ…ロック凸部、１６…仕切壁、１８…フランジ部、２０…ロック凹部、２３…調製部材、２８…蓋体、２９…内蓋、３３…カバー、３８…ジュース容器
【図１】
2004337285.tif 000003
【図２】
2004337285.tif 000004
【図３】
2004337285.tif 000005
【図４】
2004337285.tif 000006
【図５】
2004337285.tif 000007